(57)【特許請求の範囲】
【請求項１】
組立て使用状態と周側壁部を内側に折り畳んで高さを減縮させた折り畳み状態とに切り換え可能な箱型のコンテナを収納するカバーであって、組立て使用状態のコンテナを収納する有底箱状の本体、当該本体の後側シート部の上端に連設された蓋用シート部、この蓋用シート部の閉じ状態を互いに係着して保持する蓋保持用係着手段、及びカバー折り畳み状態保持用係着手段を備え、前記カバー折り畳み状態保持用係着手段によって、このカバー内において折り畳み状態とされた折り畳みコンテナより上側に位置する前記本体の上部領域を前記折り畳みコンテナの上側に平らに折り畳んだ状態を保持出来るように構成されている折り畳み自在コンテナ用カバーにおいて、
本体の前記上部領域の内、互いに対面する二組のシート部の内、一方のシート部の上部領域は、その全巾にわたって内側に二つ折り可能に構成され、他方のシート部の上部領域は、二つ折りにされる前記一方のシート部の上部領域を挟み込むようにして内側に二つ折り可能に構成され、カバー折り畳み状態保持用係着手段は、互いに対面する二組のシート部の内、少なくとも何れか一方のシート部の上部領域を内側に二つ折りにしたときに互いに係着して当該シート部の上部領域の二つ折り状態を保持する上下一対の面ファスナーによって構成されている、折り畳み自在コンテナ用カバー。
【請求項２】
前記蓋保持用係着手段は、蓋用シート部の左右両側辺と本体の左右両側シート部の上端との間及び蓋用シート部の前側辺と本体の前側シート部の上端との間に、互いに係脱自在に設けられている、請求項１に記載の折り畳み自在コンテナ用カバー。
【請求項３】
本体の左右両側シート部の上端と蓋用シート部の左右両側辺との間に設けられる前記蓋保持用係着手段は、本体の左右両側シート部の上端から連設された左右一対の本体側舌片部の内側面と蓋用シート部の左右両側辺の上側面とに互いに係脱自在に付設された面ファスナーで構成され、本体の前側シート部の上端と蓋用シート部の前側辺との間に設けられる前記蓋保持用係着手段は、蓋用シート部の前側辺から連設された蓋側舌片部の内側面と本体の前側シート部の外側面とに互いに係脱自在に付設された面ファスナーで構成されている、請求項２に記載の折り畳み自在コンテナ用カバー。
【請求項４】
カバー折り畳み状態保持用係着手段の上下一対の前記面ファスナーは、本体の前後両シート部に設けられ、本体の前側シート部側の上下一対の前記面ファスナーは、前記蓋側舌片部を本体の前側シート部の外側に重ねた状態で本体の前側シート部の前記上部領域を内側に二つ折りに重ねたとき、互いに対面する蓋側舌片部の外側面と本体の前側シート部の外側面に付設されている、請求項１〜３の何れか１項に記載の折り畳み自在コンテナ用カバー。
【請求項５】
カバー折り畳み状態保持用係着手段の上下一対の前記面ファスナーは、本体の前後両シート部に設けられ、本体の前側シート部側の上下一対の前記面ファスナーは、本体の前後両シート部の前記上部領域を内側に二つ折りに重ねた状態で、蓋側舌片部を本体の前側シート部の折り畳みコンテナに隣接する下部領域に重ねたとき、互いに対面する蓋側舌片部の内側面と本体の前側シート部の前記下部領域の外側面とに互いに係脱自在に付設され、蓋側舌片部の内側面の前記面ファスナーは、前記蓋保持用係着手段として蓋側舌片部の内側面に付設される面ファスナーを兼用している、請求項１〜３の何れか１項に記載の折り畳み自在コンテナ用カバー。
【請求項６】
前記蓋保持用係着手段を構成するために蓋用シート部の左右両側辺の上側面に付設された左右一対の前記面ファスナーは、蓋側舌片部の外側面から本体の後側シート部の外側面にわたって連続して付設され、当該左右一対の面ファスナーの蓋側舌片部の外側面に位置する面ファスナー部分は、本体の前側シート部側の前記カバー折り畳み状態保持用係着手段を構成する上下一対の前記面ファスナーの上側の面ファスナーを兼用し、当該左右一対の面ファスナーの本体の後側シート部の外側面に位置する部分は、本体の後側シート部側の前記カバー折り畳み状態保持用係着手段を構成する上下一対の面ファスナーの上側の面ファスナーを兼用している、請求項４に記載の折り畳み自在コンテナ用カバー。
【発明の詳細な説明】
【技術分野】
【０００１】
本発明は、組立て使用状態と周側壁部を内側に折り畳んで高さを減縮させた折り畳み状態とに切り換え可能な箱型コンテナを収納するカバーに関するものである。
【背景技術】
【０００２】
特許文献１にも記載されるように、組立て使用状態と周側壁部を内側に折り畳んで高さを減縮させた折り畳み状態とに切り換え可能な箱型コンテナが知られている。このようなコンテナを冷蔵又は温蔵の必要な商品を配送するために使用する場合、当該コンテナを冷蔵又は温蔵可能な荷室を備えた車両で運送しているようなときは問題ないが、そのような冷蔵又は温蔵のための設備の外で使用されるときは、保温（断熱）効果のあるカバー内に当該コンテナを収納して取り扱う必要がある。当然このカバーには、開閉自在な蓋が設けられ、この蓋を開くことによって内部のコンテナに対する商品の出し入れが行えるものでなければならないし、コンテナを使用しないときには、当該コンテナを折り畳んで高さを低くした状態で積み上げなどが行える必要がある。
【先行技術文献】
【特許文献】
【０００３】
【特許文献１】特開平１１−１２２８号公報
【発明の概要】
【発明が解決しようとする課題】
【０００４】
上記のような条件を満足させることが出来るカバーとしては、組立て使用状態のコンテナを丁度収納できる有底箱型の本体に開閉自在な蓋を設けたものが考えられるところであるが、上記のように保温（断熱）効果のあるカバーの場合、布や柔らかなシートと比較して剛性のある断熱素材で形成されるので、コンテナを使用しないときにはカバーからコンテナを取り出して、折り畳んだコンテナとカバーとを別々に保管・管理しなければならない。
【課題を解決するための手段】
【０００５】
本発明は、上記のような問題点を解消することのできる折り畳み自在コンテナ用カバーを提案するものであって、請求項１に記載の本発明に係る折り畳み自在コンテナ用カバーは、後述する実施例との関係を理解し易くするために、当該実施例の説明において使用した参照符号を括弧付きで付して示すと、組立て使用状態と周側壁部を内側に折り畳んで高さを減縮させた折り畳み状態とに切り換え可能な箱型のコンテナ(1)を収納するカバー(2)であって、組立て使用状態(1A)のコンテナ(1)を収納する有底箱状の本体(8A)、当該本体(8A)の後側シート部(11)の上端に連設された蓋用シート部(8B)、この蓋用シート部(8B)の閉じ状態を互いに係着して保持する蓋保持用係着手段(14a,14b)、及びカバー折り畳み状態保持用係着手段(15a,15b)を備え、前記カバー折り畳み状態保持用係着手段(15a,15b)によって、このカバー(2)内において折り畳み状態とされた折り畳みコンテナ(1B)より上側に位置する前記本体(8A)の上部領域(10a,11a,12a,13a)を前記折り畳みコンテナ(1B)の上側に平らに折り畳んだ状態を保持出来るように構成されている折り畳み自在コンテナ用カバーにおいて、
本体(8A)の前記上部領域(10a,11a,12a,13a)の内、互いに対面する二組のシート部(10,11)(12,13)の内、一方のシート部(10,11)の上部領域(10a,11a)は、その全巾にわたって内側に二つ折り可能に構成され、他方のシート部(12,13)の上部領域(12a,13a)は、二つ折りにされる前記一方のシート部(10,11)の上部領域(10a,11a)を挟み込むようにして内側に二つ折り可能に構成され、カバー折り畳み状態保持用係着手段(15a,15b)は、互いに対面する二組のシート部(10,11)(12,13)の内、少なくとも何れか一方のシート部(10,11)の上部領域(10a,11a)を内側に二つ折りにしたときに互いに係着して当該シート部(10,11)の上部領域(10a,11a)の二つ折り状態を保持する上下一対の面ファスナー(21a〜22b)(23a〜24b)によって構成されている。
【０００６】
上記本発明を実施する場合、具体的には請求項２に記載のように、前記蓋保持用係着手段(14a,14b)は、蓋用シート部(8B)の左右両側辺と本体(8A)の左右両側シート部(12,13)の上端との間及び蓋用シート部(8B)の前側辺と本体(8A)の前側シート部(10)の上端との間に、互いに係脱自在に設けることが出来る。この場合、請求項３に記載のように、本体(8A)の左右両側シート部(12,13)の上端と蓋用シート部(8B)の左右両側辺との間に設けられる前記蓋保持用係着手段(14a)は、本体(8A)の左右両側シート部(12,13)の上端から連設された左右一対の本体側舌片部(16a,16b)の内側面と蓋用シート部(8B)の左右両側辺の上側面とに互いに係脱自在に付設された面ファスナー(17a〜18b)で構成し、本体(8A)の前側シート部(10)の上端と蓋用シート部(8B)の前側辺との間に設けられる前記蓋保持用係着手段(14b)は、蓋用シート部(8B)の前側辺から連設された蓋側舌片部(19)の内側面と本体(8A)の前側シート部(10)の外側面とに互いに係脱自在に付設された面ファスナー(20a,20b)で構成することが出来る。
【０００８】
尚、上記請求項１〜３の何れか１項に記載の構成を採用して本発明を実施する場合、請求項４に記載のように、カバー折り畳み状態保持用係着手段(15a,15b)の上下一対の前記面ファスナー(21a〜22b)(23a〜24b)は、本体(8A)の前後両シート部(10,11)に設け、本体(8A)の前側シート部(10)側の上下一対の前記面ファスナー(21a〜22b)は、前記蓋側舌片部(19)を本体(8A)の前側シート部(10)の外側に重ねた状態で本体(8A)の前側シート部(10)の前記上部領域(10a)を内側に二つ折りに重ねたとき、互いに対面する蓋側舌片部(19)の外側面と本体(8A)の前側シート部(10)の外側面に付設することが出来る。
【０００９】
又、上記請求項１〜３の何れか１項に記載の構成を採用して本発明を実施する場合、請求項５に記載のように、カバー折り畳み状態保持用係着手段(15a,15b)の上下一対の前記面ファスナー(21a〜22b)(23a〜24b)は、本体(8A)の前後両シート部(10,11)に設け、本体(8A)の前側シート部(10)側の上下一対の前記面ファスナー(20a,25)は、本体(8A)の前後両シート部(10,11)の前記上部領域(10a,11a)を内側に二つ折りに重ねた状態で、蓋側舌片部(19)を本体(8A)の前側シート部(10)の折り畳みコンテナ(1B)に隣接する下部領域(10b)に重ねたとき、互いに対面する蓋側舌片部(19)の内側面と本体(8A)の前側シート部(10)の前記下部領域(10b)の外側面とに互いに係脱自在に付設し、蓋側舌片部(19)の内側面の前記面ファスナー(20a)は、前記蓋保持用係着手段(14b)として蓋側舌片部(19)の内側面に付設される面ファスナー(20a)を兼用させることが出来る。
【００１０】
更に、上記請求項４に記載の構成を採用して実施する場合、請求項６に記載のように、前記蓋保持用係着手段(14a)を構成するために蓋用シート部(8B)の左右両側辺の上側面に付設された左右一対の前記面ファスナー(17b,18b)は、蓋側舌片部(19)の外側面から本体(8A)の後側シート部(11)の外側面にわたって連続して付設し、当該左右一対の面ファスナー(17b,18b)の蓋側舌片部(19)の外側面に位置する面ファスナー部分(21a,21b)は、本体(8A)の前側シート部(10)側の前記カバー折り畳み状態保持用係着手段(15a)を構成する上下一対の前記面ファスナー(21a〜22b)の上側の面ファスナー(21a,21b)を兼用させ、当該左右一対の面ファスナー(17b,18b)の本体(8A)の後側シート部(11)の外側面に位置する部分(23a,23b)は、本体(8A)の後側シート部(11)側の前記カバー折り畳み状態保持用係着手段(15b)を構成する上下一対の面ファスナー(23a〜24b)の上側の面ファスナー(23a,23b)を兼用させることが出来る。
【発明の効果】
【００１１】
請求項１に記載の本発明の構成によれば、コンテナを組立て使用状態にしているときは、カバーの蓋用シート部を開くことにより、このカバー内に収納されているコンテナの開口部（開閉自在な蓋を備えたコンテナであるときはその蓋を開いて）から商品の出し入れが行えると共に、商品の出し入れ作業時以外のときは、カバーの蓋用シート部を閉じて、その前側辺をカバー本体の前側シート部の上端に蓋保持用係着手段により係着させ、保温(断熱)効果などの当該カバーが備える所期の効果を発揮させることが出来る。そしてコンテナが空になるなど、当該コンテナを使用しなくなったときには、カバー内でコンテナを折り畳んで高さを低くした状態で、折り畳みコンテナより上方に延出しているカバー本体の周囲のシート部の上部領域を内側に折り畳んで折り畳みコンテナの上に平らに重ね、このカバーの折り畳み状態をカバー折り畳み状態保持用係着手段によって保持させる。勿論、このカバーの蓋用シート部は閉じて前記蓋保持用係着手段により係着させる。
【００１２】
上記のように、簡単な操作でカバー全体も折り畳まれたコンテナを包み込むように折り畳んで、このカバー内の折り畳まれたコンテナと一体化することが出来る。このときの全体の平面形状はコンテナ及びカバーを折り畳む前と殆ど変わらず、カバーから取り出して折り畳んだコンテナよりも高さのみが少し高くなるだけでその上端面も、カバー折り畳み状態保持用係着手段によってほぼフラットな状態に維持されるので、カバーから取り出して折り畳んだコンテナを取り扱う場合と殆ど変りなく、折り畳み状態のカバーとコンテナとの一体物の搬送や積み上げなどが容易に行える。更に、本発明の構成によれば、カバー内で折り畳まれた折り畳みコンテナよりも上方に突出する状態の本体の上部領域を平坦に折り畳んで折り畳みコンテナの上に重ねる作業が容易且つ能率良く行うことが出来、しかもこの状態を保持させるためのカバー折り畳み状態保持用係着手段を構成する面ファスナーは、折り畳み状態のカバーの内側にあって、折り畳まれたカバーの外側に露出しない。又、カバー折り畳み状態保持用係着手段を構成する面ファスナーは、展開使用状態のカバーの本体の外側に露出するが、本体シート部に面接触状態で付設される面ファスナーとすることが出来るので、ベルト状の面ファスナーを使用しなければならない場合と比較して、普段の使用状態において前記面ファスナーが邪魔になるようなことが無いばかりでなく、折り畳まれたカバーの蓋用シート部の上から下側の折り畳まれた前後両側シート部を押さえ付けるだけで面ファスナーどうしを確実に係着させ、カバー折り畳み状態を簡単且つ確実に保持させることが出来る。
【００１３】
尚、前記蓋保持用係着手段を請求項２に記載のように構成するときは、保温(断熱)効果などの当該カバーが備える所期の効果をより一層確実に発揮させることが出来る。又、請求項３に記載の構成によれば、左右一対の本体側舌片部は蓋用シート部の外側に重ねると共に、蓋側舌片部は本体の前側シート部の外側に重ねた状態で、各舌片部を押さえるようにして面ファスナーどうしを互いに係着させることが出来、不安定な状況にある舌片部が内側になる場合と比較して、面ファスナーによる係着操作を容易且つ確実に行える。しかも本体の左右両側シート部の上端近くには、このカバーを介してコンテナを持ち上げて移動させるときに使用する把手を取り付けることが考えられるが、蓋用シート部の左右両側辺から連設させた舌片部を本体の左右両側シート部の外側に係着させる構成では、前記把手の位置を下げるか又は舌片部の高さ方向の巾を狭めなければならず、実施する上で問題が生じるが、請求項３に記載の構成によれば、このような問題を伴うことも無い。
【００１５】
又、請求項４に記載の構成によれば、蓋側舌片部を折り畳まれた前側シート部間に挟み込んだ状態でカバー折り畳み状態を保持出来るので、外に蓋側舌片部が揺れ動く状態で突出することがなく、カバーとコンテナの全体を所定のサイズの立方体形状に美麗に折り畳むことが出来る。
【００１６】
更に、請求項５に記載の構成によれば、蓋保持用係着手段を構成するために蓋用シート部の左右両側辺の上側面に付設される面ファスナーの長さを長くするだけで、カバー折り畳み状態保持用係着手段を構成する上下一対の前記面ファスナーの上側の面ファスナーを兼用させることが出来、部品点数を少なくしてコストダウンを図ることが出来ると共に、面ファスナーの取付け作業を容易にすることが出来る。
【００１７】
又、請求項６に記載の構成によれば、蓋保持用係着手段として蓋側舌片部の内側面に付設される面ファスナーをカバー折り畳み状態保持用係着手段の面ファスナーに兼用させることにより、部品点数を少なくしてコストダウンを図ることが出来ると共に、折り畳んだカバーの保持を強固に行える。
【図面の簡単な説明】
【００１８】
【図１】図１は、組立て使用状態のコンテナとこれを収納するカバーとを示す斜視図である。
【図２】図２は、コンテナの折り畳み行程の中間段階を示す斜視図である。
【図３】図３は、折り畳み状態のコンテナを示す斜視図である。
【図４】図４は、カバーを構成する縫製前の素材シートの展開図であって、その外側面側を示している。
【図５】図５は、展開使用状態のカバーを示す後ろ側からの斜視図である。
【図６】図６は、カバーの折り畳み行程の中間段階を示す斜視図である。
【図７】図７は、組立て使用状態のコンテナを収納しているカバーの蓋用シート部が開かれている状態を示す斜視図である。
【図８】図８は、同上蓋用シート部を閉じる中間段階を示す斜視図である。
【図９】図９は、同上蓋用シート部を閉じ終わった状態を示す斜視図である。
【図１０】図１０は、カバー内でコンテナを折り畳んだ状態を示す斜視図である。
【図１１】図１１は、同上カバーの折り畳み中間段階を示す斜視図である。
【図１２】図１２は、同上カバーの折り畳み完了状態を示す斜視図である。
【図１３】図１３は、別実施例におけるカバー折り畳みの中間段階を示す斜視図である。
【図１４】図１４は、同上別実施例におけるカバーの折り畳み完了状態を示す斜視図である。
【発明を実施するための形態】
【００１９】
図１において、１は折り畳み可能な箱型のコンテナであり、２はそのコンテナ１を収納するカバーである。コンテナ１は、先に説明したように従来周知のものであるから、簡単にその構成を説明すると、図１〜図３に示すように、矩形の底板部３、矩形の開口部枠４、底板部３の前後両側辺と開口部枠４の前後両側辺とに上下両端がそれぞれ軸支された二つ折り自在な前後両側壁部５ａ，５ｂ、開口部枠４の左右両側辺にそれぞれ当該開口部枠４内に跳ね上げて収納可能に軸支された左右両側壁部６ａ，６ｂ、及び開口部枠４の前後両側辺にそれぞれ当該開口部枠４の開口を開閉できるように軸支された前後一対の蓋板７ａ，７ｂから構成されている。
【００２０】
上記構成のコンテナ１は、従来周知のように、図１に示す組立て使用状態１Ａと図３に示す折り畳み状態１Ｂとに切り換え可能なもので、図１に示す組立て使用状態１Ａから図３に示す折り畳み状態１Ｂへ切り換えるときの手順を説明すると、図２に示すように、左右両側壁部６ａ，６ｂを開口部枠４内に跳ね上げて収納した状態で、前後両側壁部５ａ，５ｂを二つ折りにしながら底板部３上に重ねる。この結果、開口部４が底板部３上に重なり、二つ折り状態の前後両側壁部５ａ，５ｂと左右両側壁部６ａ，６ｂとが開口部枠４内に収納され、蓋板７ａ，７ｂを閉じることにより、コンテナ１は高さの低い平らな箱状の折り畳み状態１Ｂになる。尚、蓋板７ａｑ，７ｂは、場合によっては省くことも可能である。
【００２１】
この実施例に示すカバー２は、保温（断熱）のためのカバーであって、断熱性のあるシート素材を二枚重ねにして縫製することにより構成することが出来るものであるが、用途に応じて使用シート素材は変えることが出来るし、二枚重ねでなくとも良い。而して、このカバー２は、図１、図４〜図６に示すように、組立て使用状態のコンテナ１を丁度収納し得る大きさの箱型の本体８Ａと蓋用シート部８Ｂから構成されている。本体８Ａは、矩形の底シート部９、この底シート部９の前後両側辺から連設された前後両側シート部１０，１１、及び底シート部９の左右両側辺から連設された左右両側シート部１２，１３から構成され、前記蓋用シート部８Ｂは、本体８Ａの後側シート部１１の上端から連設されている。図４では、前後両側シート部１０，１１の左右両側辺と左右両側シート部１２，１３の前後両側辺とを縫着する前の展開状態を示している。
【００２２】
上記カバー２は、蓋保持用係着手段１４ａ，１４ｂとカバー折り畳み状態保持用係着手段１５ａ，１５ｂを備えている。蓋保持用係着手段１４ａは、蓋用シート部８Ｂの左右両側辺と本体８Ａの左右両側シート部１２，１３の上端との間を係脱自在に係着するものであって、本体８Ａの左右両側シート部１２，１３の上端から連設された左右一対の本体側舌片部１６ａ，１６ｂの内側面と蓋用シート部８Ｂの左右両側辺の上側面とに互いに係脱自在に付設された面ファスナー１７ａ，１７ｂ及び１８ａ，１８ｂによって構成され、蓋保持用係着手段１４ｂは、蓋用シート部８Ｂの前側辺と本体８Ａの前側シート部１０の上端との間を係脱自在に係着するものであって、蓋用シート部８Ｂの前側辺から連設された蓋側舌片部１９の内側面と本体８Ａの前側シート部１０の外側面とに互いに係脱自在に付設された面ファスナー２０ａ，２０ｂによって構成されている。尚、本体側舌片部１６ａ，１６ｂは、本体８Ａの左右両側シート部１２，１３の全巾にわたって連設され、蓋側舌片部１９は、蓋用シート部８Ｂの前側辺全巾にわたって連設されている。
【００２３】
図４に示すように、カバー２の本体８Ａを構成する前後両側シート部１０，１１と左右両側シート部１２，１３は、収納するコンテナ１が折り畳み状態１Ｂにあるとき、当該折り畳み状態１Ｂのコンテナ（以下、折り畳みコンテナ１Ｂと略称する）より上方に位置する上部領域１０ａ〜１３ａと折り畳みコンテナ１Ｂに隣接する下部領域１０ｂ〜１３ｂに分けられる。尚、これら上部領域１０ａ〜１３ａの高さは、その１／２の高さが左右両側シート部１２，１３の横巾の１／２よりも小さくなるように、設定されている。而して、前後両側シート部１０，１１の上部領域１０ａ，１１ａは、下部領域１０ｂ，１１ｂとの境界の山折り線１０ｃ，１１ｃとその高さの中央位置を横断する谷折り線１０ｄ，１１ｄによって、内側へ二つ折りに折り畳むことが出来る。又、左右両側シート部１２，１３の上部領域１２ａ，１３ａは、下部領域１２ｂ，１３ｂとの境界の山折り線１２ｃ，１３ｃとその高さの中央に位置する谷折り線１２ｄ，１３ｄによって、内側へ折り畳むのであるが、この折り畳みが、前後両側シート部１０，１１の上部領域１０ａ，１１ａの内側への二つ折りに影響しないように、左右両側シート部１２，１３の上部領域１２ａ，１３ａには、前記谷折り線１２ｄ，１３ｄの両側に、前後両側シート部１０，１１の上部領域１０ａ，１１ａを内側に二つ折りしたときに当該前後両側シート部１０，１１の上部領域１０ａ，１１ａの内側（上下両側）に山形状に重なる上下一対の三角形の折込部１２ｅ，１２ｆ及び１３ｅ，１３ｆが、山折り線と谷折り線とで形成されている。
【００２４】
上記のように構成されたカバー２では、図６に示すように、左右両側シート部１２，１３の上部領域１２ａ，１３ａを内側に折り込みながら前後両側シート部１０，１１の上部領域１０ａ，１０ｂを内側へ二つ折りにすることが出来る。この前後両側シート部１０，１１の上部領域１０ａ，１０ｂを内側へ二つ折りに折り畳んだ状態を保持させるために前記カバー折り畳み状態保持用係着手段１５ａ，１５ｂが設けられている。前側シート部１０のカバー折り畳み状態保持用係着手段１５ａは、前側シート部１０の上端外側に重ねた蓋側舌片部１９の左右両端部の外側面に付設された左右一対の面ファスナー２１ａ，２１ｂと、前側シート部１０の上部領域１０ａを前記のように内側に二つ折りに折り畳んだときに前記左右一対の面ファスナー２１ａ，２１ｂと係着するように、前側シート部１０の上部領域１０ａの下端近傍に付設された左右一対の面ファスナー２２ａ，２２ｂから構成され、後側シート部１１のカバー折り畳み状態保持用係着手段１５ｂは、後側シート部１１の上端部に付設された左右一対の面ファスナー２３ａ，２３ｂと、後側シート部１１の上部領域１１ａを前記のように内側に二つ折りに折り畳んだときに前記左右一対の面ファスナー２３ａ，２３ｂと係着するように、後側シート部１１の上部領域１１ａの下端近傍に付設された左右一対の面ファスナー２４ａ，２４ｂから構成されている。
【００２５】
尚、カバー折り畳み状態保持用係着手段１５ａ，１５ｂを構成する上下一対の面ファスナー２１ａ〜２２ｂ及び２３ａ〜２４ｂの内、上側の面ファスナー２１ａ，２１ｂ及び２３ａ，２３ｂは、蓋保持用係着手段１４ａを構成するために蓋用シート部８Ｂの左右両側辺の上側面ファスナーに付設された面ファスナー１７ｂ，１８ｂの両端の延長部分によって構成されている。即ち、蓋側舌片部１９の外側面から後側シート部１１の上端部外側面まで連続するように付設された長尺の面ファスナー１７ｂ，１８ｂの両端部分が前記面ファスナー２１ａ，２１ｂ及び２３ａ，２３ｂを兼用する構成となっている。
【００２６】
上記構成において、それぞれ対を成す面ファスナー１７ａ〜１８ｂ及び２０ａ〜２４ｂは、その一方が雄面ファスナーとなり、他方が雌面ファスナーとなる従来周知のもので、雄面ファスナーと雌面ファスナーの雌雄各面どうしを互いに圧着させることにより両面ファスナーが互いに係着し、この互いに係着している一対の両面ファスナーを互いに引き剥がすことにより係着が解かれる。
【００２７】
使用方法について説明すると、図１に示すように展開使用状態のカバー２の蓋用シート部８Ｂを開き、図７に示すように、組み立て使用状態のコンテナ１をカバー２の本体８Ａ内に収納する。この状態では、図示のようにカバー２の蓋用シート部８Ｂを開いておくことにより、組み立て使用状態のコンテナ１の一対の蓋板７ａ，７ｂを開いて、当該コンテナ１内に対して商品の出し入れ作業を行える。
【００２８】
商品の出し入れ作業を行わない時間帯では、図８に示すように、カバー２の左右一対の本体側舌片部１６ａ，１６ｂを外側に開いた状態で蓋用シート部８Ｂを閉じ、この蓋用シート部８Ｂの蓋側舌片部１９を本体８Ａの前側シート部１０の上端外側に重ねる。この結果、蓋保持用係着手段１４ｂの一対の面ファスナー、即ち、蓋側舌片部１９の内側の面ファスナー２０ａと前側シート部１０の上端外側の面ファスナー２０ｂとが互いに係着することになる。この状態から次に図９に示すように、カバー２の左右一対の本体側舌片部１６ａ，１６ｂを内側に折曲して、蓋用シート部８Ｂの左右両側辺の上に重ねる。この結果、蓋保持用係着手段１４ａの一対の面ファスナー、即ち、本体側舌片部１６ａ，１６ｂの内側の面ファスナー１７ａ，１８ａと蓋用シート部８Ｂの左右両側辺の外側の面ファスナー１７ｂ，１８ｂとが互いに係着することになり、蓋用シート部８Ｂの左右両側辺と本体８Ａの左右両側シート部１２，１３の上端辺とがその全長にわたって係着されると共に、蓋用シート部８Ｂの前側辺と本体８Ａの前側シート部１０の上端辺とがその全長にわたって係着され、蓋用シート部８Ｂが完全に本体８Ａの開口部を閉じることになる。この状態では、カバー２内に収納されているコンテナ１は、カバー２を構成している素材シートの断熱性能により保温される。
【００２９】
コンテナ１内が空になるなど、当該コンテナ１を使用しなくなったときは、カバー２内のコンテナ１を取り出さないでそのまま折り畳み状態１Ｂに切り換える。具体的には、カバー１を構成している素材シートは可撓性があるので、当該カバー２の左右両側シート部１２，１３の外から内部のコンテナ１の左右両側壁部６ａ，６ｂを内側に押し込んで開口部枠４内に収納すると共に、カバー２の前後両側シート部１０，１１の外からコンテナ１の前後両側壁部５ａ，５ｂを内側に押し込んで、当該前後両側壁部５ａ，５ｂを内側へ二つ折りにして、図３に示す折り畳み状態１Ｂに変形させる。
【００３０】
図１０に示すように、カバー２内のコンテナ１を折り畳み状態１Ｂに変形させたならば、図８及び図９に基づいて説明した要領で蓋用シート部８Ｂを閉じて、蓋保持用係着手段１４ａ，１４ｂにより、当該蓋用シート部８Ｂの左右両側辺と前側辺とを本体８の左右両側シート部１２，１３の上端辺と前側シート部１０の上端辺とに係着させる。この状態でカバー２の左右両側シート部１２，１３を内側に折り込みながら前後両側シート部１０，１１を内側に二つ折りに折り畳み（図１１参照）、最後に蓋用シート部８Ｂを折り畳み状態１Ｂのコンテナ１(即ち、折り畳みコンテナ１Ｂ)の上に押しつける。この結果、カバー２の前後左右各シート部１０〜１３の上部領域１０ａ〜１３ａが平らに折り畳まれた状態で、折り畳みコンテナ１Ｂと蓋用シート部８Ｂとの間に挟まれると同時に、カバー折り畳み状態保持用係着手段１５ａ，１５ｂによりその状態が保持される。このとき蓋側舌片部１９は、内側に二つ折りにされた前側シート部１０の上部領域１０ａの間に挟み付けられている。
【００３１】
従って、カバー折り畳み状態保持用係着手段１５ａの上下一対の面ファスナー、即ち、蓋側舌片部１９の外側の左右一対の面ファスナー２１ａ，２１ｂと、前側シート部１０の上部領域１０ａの下端近傍外側の左右一対の面ファスナー２２ａ，２２ｂが互いに係着されると同時に、カバー折り畳み状態保持用係着手段１５ｂの上下一対の面ファスナー、即ち、後側シート部１１の上端外側の左右一対の面ファスナー２３ａ，２３ｂと、後側シート部１１の上部領域１１ａの下端近傍外側の左右一対の面ファスナー２４ａ，２４ｂが互いに係着される。この結果、折り畳みコンテナ１Ｂの上に折り畳まれ且つ上側に蓋用シート部８Ｂが重ねられた状態のカバー２の前後左右各シート部１０〜１３の上部領域１０ａ〜１３ａは、折り畳みコンテナ１Ｂの上に平らに重なる状態に確実に保持されることになる。
【００３２】
再びコンテナ１を使用し始めるときは、以上で説明した手順とは逆の手順でカバー２を展開して使用状態に戻すと共に、折り畳み状態１Ｂのコンテナ１を組み立て使用状態１Ａに戻せば良い。カバー２を展開するときには、各蓋保持用係着手段１４ａ，１４ｂ及びカバー折り畳み状態保持用係着手段１５ａ，１５ｂの互いに係着状態にある一対の面ファスナー１７ａ〜１８ｂ及び２０ａ〜２４ｂを引き剥がして係着を解けば良い。
【００３３】
尚、上記実施例ではカバー２を折り畳みコンテナ１Ｂの上に折り畳むとき、内側に二つ折りにされる前側シート部１０の内側に蓋側舌片部１９を挟み込むようにしたが、蓋側舌片部１９を外側に出した状態でカバー２の前後左右各シート部１０〜１３の上部領域１０ａ〜１３ａを折り畳みコンテナ１Ｂの上に折り畳むようにして良い。この場合は、蓋側舌片部１９の外側に付設した左右一対の面ファスナー２１ａ，２１ｂに代わる左右一対の面ファスナーを前側シート部１０の上端外側に付設しても良いが、外側に張り出し状態になる蓋側舌片部１９を固定する意味でも、図１３に示すように、前側シート部１０の下部領域１０ｂの外側上端辺に沿って、蓋側舌片部１９の内側に付設された蓋保持用係着手段１４ｂの面ファスナー２０ａと対を成す面ファスナー２５を付設し、図１４に示すように、カバー２を折り畳みコンテナ１Ｂの上に折り畳んだとき、外側に張り出し状態になっている蓋側舌片部１９を前側シート部１０の下部領域１０ｂの外側に重ねて、当該蓋側舌片部１９の内側に付設された蓋保持用係着手段１４ｂの面ファスナー２０ａを前記面ファスナー２５に係着させるようにしても良い。この構成によれば、蓋側舌片部１９の内側に付設された蓋保持用係着手段１４ｂの面ファスナー２０ａと前記面ファスナー２５とによってカバー折り畳み状態保持用係着手段１５ａが構成されることになる。
【００３４】
尚、カバー２の前後左右の各シート部１０〜１３の上部領域１０ａ〜１３ａを容易且つ正確に折り畳めるように、各シート部１０〜１３の上部領域１０ａ〜１３ａに設定される折り線を物理的に折曲し易い構造とするのが望ましい。例えば、このカバー２が二枚重ねにした素材シートの縫製により構成されるときは、前記折り線の位置に当該折り線に沿って縫着線（ミシン目）を入れることも出来るが、更に、縫着線で形成される折り線で囲まれた領域の二枚重ねの素材シート間にプラスチックシートや厚手の布を挟み込むなどの工夫を採用することも出来る。
【産業上の利用可能性】
【００３５】
本発明の折り畳み自在コンテナ用カバーは、当該コンテナに収納される商品の保温（断熱）が必要な場合に、コンテナそのものを包み込んで保温（断熱）することの出来るカバーであって、コンテナを折り畳むときは、その折り畳みコンテナを包み込むようにカバー自体も容易に折り畳むことが出来るカバーとして活用出来る。
【符号の説明】
【００３６】
１    折り畳み自在な箱型のコンテナ
２    カバー
８Ａ    カバーの本体
８Ｂ    カバーの蓋用シート部
９    底シート部
１０，１１    前後両側シート部
１２，１３    左右両側シート部
１０ａ〜１３ａ    各シート部の上部領域
１４ａ，１４ｂ    蓋保持用係着手段
１５ａ，１５ｂ    カバー折り畳み状態保持用係着手段
１６ａ，１６ｂ    本体側舌片部
１７ａ〜１８ｂ，２０ａ〜２４ｂ，２５    面ファスナー
１９    蓋側舌片部
【図１】
0005818015.tif 000002
【図２】
0005818015.tif 000003
【図３】
0005818015.tif 000004
【図４】
0005818015.tif 000005
【図５】
0005818015.tif 000006
【図６】
0005818015.tif 000007
【図７】
0005818015.tif 000008
【図８】
0005818015.tif 000009
【図９】
0005818015.tif 000010
【図１０】
0005818015.tif 000011
【図１１】
0005818015.tif 000012
【図１２】
0005818015.tif 000013
【図１３】
0005818015.tif 000014
【図１４】
0005818015.tif 000015